(57)【要約】【課題】ダイレクトメールなどに用いる封筒を工夫して、受取人が収容物の情報を確認したいという関心を生じさせ易くし、封筒の開封率を高めてより広く情報の提供が行なえるようにする。【解決手段】封筒内収容物の記載情報に関連した引換券などの有価物であって有価物表示７が施されている封緘手段４で、封筒本体２を封緘した。【選択図】    図１
2004210360.tif 000002
【特許請求の範囲】
【請求項１】
封筒内収容物の記載情報に関連した引換券などの有価物であって有価物表示が施されている封緘手段で、封筒本体が封緘されていることを特徴とする封筒。
【請求項２】
上記封緘手段は、封筒本体に一体にして設けられて封筒本体の出し入れ口を覆う封緘片である請求項２に記載の封筒。
【請求項３】
前記封緘手段は、封筒本体に一体にして設けられて封筒本体の出し入れ口を覆う折り返し片を封筒本体に止め付ける封緘ラベルである請求項１に記載の封筒。
【発明の詳細な説明】
【０００１】
【発明の属する技術分野】
本発明は封筒に関するものである。
【０００２】
【従来の技術】
従来から封筒には、封筒本体に一体に設けられて封筒本体の出し入れ口側に折り重ねることのできるようにした折り返し片があり、この折り返し片に予め感圧性接着材を塗布して折り返し片自体を封緘片とした封着手段を備える封筒が多く利用されている。そして封緘の役割をする前記折り返し片にあっては、外面部分の有効利用をはかるためにこの折り返し片に差出人住所氏名などの送付情報を設ける工夫が提案されている（例えば、特許文献１参照）。
【０００３】
【特許文献１】
特開２００１−３１５７９５（図１６）
【０００４】
【発明が解決しようとする課題】
ところで金融機関や各種サービス業者などにおいて、顧客へ新規サービスの案内をダイレクトメールとして提供するときにその送付媒体に封筒が多く用いられており、上述したように折り返し片からなる封着手段側に差出人住所氏名などの送付情報を記載し、残りの広い封筒外表面部分に装飾性の高い印刷を施すなどして受取人の目を引かせるようにした工夫も取り入れられていた。
しかしながら、ダイレクトメールなどの形態としている場合、受取人側では封筒外表面の情報などから差出人側の趣旨が理解されてはいるものの、封筒を開封して収容物の情報を確認しようという関心が生じる可能性は低く、開封せずに廃棄する割合が高くなっているのが現状であった。
そこで本発明は上記事情に鑑み、ダイレクトメールに用いる封筒を工夫して、受取人が収容物の情報を確認したいという関心を生じさせ易くすることを課題とし、封筒の開封率を高めてより広く情報の提供が行なえるようにすることを目的とする。
【０００５】
【課題を解決するための手段】
本発明は上記課題を考慮してなされたもので、封筒内収容物の記載情報に関連した引換券などの有価物であって有価物表示が施されている封緘手段で、封筒本体が封緘されていることを特徴とする封筒を提供して、上記課題を解消するものである。
そして、本発明において上記封緘手段は、封筒本体に一体にして設けられて封筒本体の出し入れ口を覆う封緘片とすることが可能であり、また、上記封緘手段は、封筒本体に一体にして設けられて封筒本体の出し入れ口を覆う折り返し片を封筒本体に止め付ける封緘ラベルとすることが可能である。
【０００６】
【発明の実施の形態】
つぎに本発明を図１と図２に示す実施の形態に基づいて詳細に説明する。
図中１は封筒で、該封筒１にあっては図１に示されているように封筒本体２の取り出し口３を覆って図示しない封筒内収容物を安定して収容する封緘手段４を有しているものである。
前記封緘手段４は、通常の封筒のように、封筒本体２に一体に設けられて折り重ねにより前記取り出し口３を覆う折り返し片５に予め感圧接着材Ｓを塗布した封緘片６として構成されているものである。図示されているように、封緘片６からなるこの封緘手段４にあっては有価物として構成され、封筒本体に収容した上記収容物の記載情報に関連する引換券の形態を呈しているものである。例えば、封筒内収容物が展示会パンフレットであって、展示会飲食コーナーの飲食物と引き換えることのできる引換券としている。
さらに、この封緘手段４では「引換券」という文字にて有価物であることを示す有価物表示７が設けられている。この有価物表示７によって封筒受取人は、封緘手段４を引換券という有価物として認識できるようになり、引換の対象を確認するなどの目的で封緘手段４を捲るようになり、よって封筒１が開封されることとなる。
【０００７】
さらにこの実施の形態では封緘手段４の先端部分が封筒本体に貼り付けられていて、この貼着部分に重ならない位置と折り返し片５の折り部側の位置とにそれぞれ切取り用ミシン目８が穿設されている。また、この二条の切り取り用ミシン目８の間に上記有価物表示７が位置しており、二条の切り取りミシン目８の間を切り取ることで有価物である引換券を単独で取り扱えるようにしており、受取人に有価物を取得した感覚が得られるようにしている。
一方、二条の切り取りミシン目８の間を取り除くことで封緘手段４は分断されることから封筒１が開封され、受取人が容易に主要物の内容を確認できるようにしている。このように封緘手段４に対して有価物表示７が施された部位を分離でき、かつ同時に封筒の開封となるようにすることで、封筒の開封率か頗る向上するようになり、収容物への関心も想起させ易くなる。
【０００８】
上記実施の例において、封緘手段４を通常の封筒における封緘片６としながらこの封緘手段４を有価物として構成したが、図２に示すように封緘手段４が封緘片６である必要はない。図２に示す例では封緘手段４を封緘ラベル９なるものとしている。前記封緘ラベル９は、封筒本体２の出し入れ口３を覆う折り返し片５を封筒本体２に止め付けるものであって、受取人側で剥ぎ取りできる接着強度に調整された感圧接着材にて前記折り返し片５から封筒本体２にかけて貼り付けられている。
そして、封緘ラベル９からなるこの封緘手段４も抽選番号券という有価物として構成されている。例えば封筒１の収容物を展示会パンフレットとし、その展示会パンフレットに来場記念品贈答番号などの情報を記載し、これらの情報に対応する有価物表示７を「抽選番号１２３」という文字にて表現しているものであって、抽選番号券という有価物であるこの封緘手段４を剥ぎ取って、即ち、封筒１を開封して収容物の展示会パンフレットにおける来場記念品贈答番号とを照らし合わせることができるようにしている。
このように封緘ラベル９を封筒内収容物の記載情報に関連した抽選番号券という有価物とし、さらに有価物表示７を施しているため、封筒受取人側では封緘ラベル９を剥ぎ取ってから封筒内の収容物の内容確認を行ないたいという気持ちを生じさせ易くしており、これによって封筒１の開封率が高められるようになる。
なお、この実施の例において上記封緘手段４を単独で剥離できる封緘ラベル９から形成しているが、取り外しを容易にするために貼着した封緘ラベル９を囲むようにして切取り用ミシン目８が折り返し片５と封筒本体２とに穿設されており、この切取り用ミシン目８を分断することで封緘ラベル９を取り外すようにしてもよい。このように切取り用ミシン目８から分断しても封筒１の開封が行なえる。よって、切取り用ミシン目８が設けられている場合には、前記封緘ラベル９が再剥離できるものでなくともよい。
【０００９】
上記各実施の形態では封緘手段４を引換券や抽選番号券としているが、有価物はこれらに限定されるものではなく、商品購入価格を割り引く割引券や特定サービスを受けるためのサービス券などとしたり、商品購入の都度に得点（ポイント）を加算して累積点数に応じたサービスを受ける契約者向けとして、得点の追加が行なえるポイント加算券などとしてもよい。
【００１０】
【発明の効果】
以上説明した本発明によれば、封緘手段が有価物表示を伴った有価物であるため、封筒を受け取った側の興味を引き易く、そしてその有価物が収容物の記載情報に関連していることから、封筒を開封して収容物を確認したいという気持ちを生じさせ易くなり、よって、封筒の開封率を高めることができるようになり、封筒を利用した情報を多くの顧客などへ通知できるようになるなど、実用性に優れた効果を奏するものである。
【図面の簡単な説明】
【図１】本発明に係る封筒の一例を示す説明図である。
【図２】他の例を示す説明図である。
【符号の説明】
１…封筒
２…封筒本体
４…封緘手段
５…折り返し片
６…封緘片
７…有価物表示
８…切取り用ミシン目
９…封緘ラベル
【図１】
2004210360.tif 000003
【図２】
2004210360.tif 000004